(57)【特許請求の範囲】
【請求項１】
気化器本体を貫通する吸気路に絞り弁案内筒が連設され、絞り弁案内筒内に移動自在に配置された絞り弁にて吸気路が開閉された摺動絞り弁型気化器において、絞り弁案内筒３の上部開口３Ａを閉塞するトップカバー５は、絞り弁案内筒３の外周にあって、絞り弁案内筒３の長手方向に沿って形成されたオネジ３Ｂに螺着されるとともに、その中心部に形成されたガイド筒部５Ｄには、ガイド筒部５Ｄの上端５Ｈから下方に向けてホルダー部材摺動孔５Ｆが穿設されるとともに、ホルダー部材摺動孔５Ｆから係止段部５Ｅを介して下方に向けてエンド挿入孔５Ｇが貫通して形成され、一方、連結部材６は、その下端に絞り弁に係止されるエンド７を備え、上端に、ホルダー部材摺動孔５Ｆ内に摺動自在に配置されて係止段部５Ｅに当接するとともにアクセルワイヤーＷのワイヤーエンド１４を係止するワイヤーエンド孔８Ａが穿設されたホルダー部材８を備え、前記、連結部材６のエンド７を絞り弁４に係止し、ホルダー部材８をホルダー部材摺動孔５Ｆ内に移動自在に配置するとともにアクセルワイヤーＷのワイヤーエンド１４をワイヤーエンド孔８Ａを介してホルダー部材８に係止し、ホルダー部材８を係止段部５Ｅに当接し、トップカバー５を螺動することによって絞り弁４のアイドリング開度を調整してなる摺動絞り弁型気化器のアイドリング調整装置。
【請求項２】
前記、連結部材６のエンド７とホルダー部材８及びアクセルワイヤーＷのワイヤーエンド１４を、絞り弁３の中心を通る長手軸心線Ｘ−Ｘ上に配置したことを特徴とする請求項１記載の摺動絞り弁型気化器におけるアイドリング調整装置。
【発明の詳細な説明】
【０００１】
【産業上の利用分野】
本発明は、機関へ供給される混合気の濃度、量を制御する気化器に関し、そのうち特に、気化器本体を貫通する吸気路に絞り弁案内筒が連設され、絞り弁案内筒内に移動自在に配置された絞り弁にて吸気路が開閉された摺動絞り弁型気化器のアイドリング調整装置に関する。
【０００２】
【従来の技術】
従来の摺動絞り弁型気化器のアイドリング調整装置は、図３に示される。１０は内部を吸気路１１が貫通した気化器本体であって、吸気路１１に連設して絞り弁案内筒１２が形成され、この絞り弁案内筒１２は上方に向かって開口する。絞り弁案内筒１２内には、絞り弁１３が移動自在に配置され、この絞り弁１３には、外周から内方へ向かって傾斜面１３Ａが形成される。そして、絞り弁１３には、運転者によって操作されるアクセルワイヤーＷの端部に配置されたワイヤーエンド１４が、エンド挿入孔１３Ｂ内に挿入配置され、エンド係止段部１３Ｃに係止される。一方、気化器本体１０にはアイドル調整スクリュー１５が螺着されるもので、このアイドル調整スクリュー１５は水平方向に配置され、その先端１５Ａは、絞り弁１３の傾斜面１３Ａに当接する。
【０００３】
【発明が解決しようとする課題】
かかる従来の摺動絞り弁型気化器によると、絞り弁１３のアイドリング開度の調整は、アイドル調整スクリュー１５を螺動することによってアイドル調整スクリュー１５を水平方向に進退させ、その先端１５Ａを傾斜面１３Ａに当接させ、これによって絞り弁１３を上下方向に移動して行なうものであった。一方、絞り弁１３は絞り弁案内筒１２内に移動自在に配置されることから絞り弁１３は間隙をもって絞り弁案内筒１２内に配置される。以上によると、アイドル調整スクリュー１５の先端１５Ａが絞り弁１３の傾斜面１３Ａに当接した絞り弁１３のアイドリング開度時において、絞り弁１３は、絞り弁案内筒１２内に傾斜した状態に配置される。これは、前述の如く、絞り弁１３と絞り弁案内筒１２との間に間隙が存在すること。及びアイドル調整スクリュー１５の先端１５Ａが絞り弁１３の傾斜面１３Ａに当接し、絞り弁１３が斜めに押圧されることによる。
【０００４】
以上によると、絞り弁１３の外周と絞り弁案内筒１２の内周との接触が部分的に行なわれることになり、接触部の面圧が上昇して摩耗を生ずる恐れがあり、この解決の為に絞り弁１３の材料選択の自由度が制限され、更には高価な被膜処理を行なう必要があった。
【０００５】
又、絞り弁１３がアイドリング開度から開放されると、絞り弁１３はアイドル調整スクリュー１５による傾斜面１３Ａに対する押圧力が解除される。このように絞り弁１３が開放された自由状態から再びアイドリング開度へ絞り弁１３が戻された時、絞り弁１３のアイドリング開度時における傾斜状態が原傾斜状態に比較して変化する恐れがある。以上によると、絞り弁１３のアイドリング開度状態に対応して位置決め決定されたバイパス孔との相対位置関係に差異が生じ、低速燃料の再現性が阻害される。
【０００６】
本発明は上記課題に鑑み成されたもので、絞り弁の摺動耐久性の向上と低速燃料の再現性の向上とを達成することのできる摺動絞り弁型気化器のアイドリング調整装置を提供することを主目的とする。
【０００７】
【課題を解決する為の手段】
本発明になる摺動絞り弁型気化器のアイドリング調整装置は、前記目的達成の為に、気化器本体を貫通する吸気路に絞り弁案内筒が連設され、絞り弁案内筒内に移動自在に配置された絞り弁にて吸気路が開閉された摺動絞り弁型気化器において、絞り弁案内筒の上部開口を閉塞するトップカバーは、絞り弁案内筒の外周にあって、絞り弁案内筒の長手方向に沿って形成されたオネジに螺着されるとともに、その中心部に形成されたガイド筒部には、ガイド筒部の上端から下方に向けてホルダー部材摺動孔が穿設されるとともに、ホルダー部材摺動孔から係止段部を介して下方に向けてエンド挿入孔が貫通して形成され、一方、連結部材は、その下端に絞り弁に係止されるエンドを備え、上端に、ホルダー部材摺動孔内に摺動自在に配置されて係止段部に当接するとともにアクセルワイヤーのワイヤーエンドを係止するワイヤーエンド孔が穿設されたホルダー部材を備え、前記、連結部材のエンドを絞り弁に係止し、ホルダー部材をホルダー部材摺動孔内に移動自在に配置するとともにアクセルワイヤーのワイヤーエンドをワイヤーエンド孔を介してホルダー部材に係止し、ホルダー部材を係止段部に当接し、トップカバーを螺動することによって絞り弁のアイドリング開度を調整したことを第１の特徴とする。
【０００８】
又、本発明は、前記第１の特徴に加え、連結部材のエンドとホルダー部材及びアクセルワイヤーのワイヤーエンドを、摺動絞り弁の横断面の中心を通る長手軸心線上に配置したことを第２の特徴とする。
【０００９】
【実施例】
以下、本発明になる摺動絞り弁型気化器のアイドリング調整装置の一実施例について図１により説明する。１は内部を吸気路２が貫通した気化器本体であり、吸気路２から上方に向けて絞り弁案内筒３が連設される。絞り弁案内筒３の上方は上部開口３Ａをもって開口し、更に絞り弁案内筒３の上部外周には、絞り弁案内筒３の長手方向に沿ってオネジ３Ｂが形成される。絞り弁案内筒３内には絞り弁４が移動自在に配置され、絞り弁４が上下方向に移動することによって吸気路２が開閉される。
【００１０】
５は、絞り弁案内筒３の上部開口３Ａを閉塞するトップカバーであり、筒部５Ａと底部５Ｂとよりなる有底筒状をなす。そして、トップカバー５の筒部５Ａの内方にはオネジ３Ｂに螺着されるメネジ５Ｃが形成され、底部５Ｂの中心には、ガイド筒部５Ｄが形成される。このガイド筒部５Ｄには、ホルダー部材摺動孔５Ｆと係止段部５Ｅとエンド挿入孔５Ｇとが連設される。具体的にホルダー部材摺動孔５Ｆは、ガイド筒部５Ｄの上端５Ｈから下方の係止段部５Ｅに向けて穿設され、さらに係止段部５Ｅから下端５Ｊに向かってエンド挿入孔５Ｇが貫通して穿設される。エンド挿入孔５Ｇの直径はホルダー部材摺動孔５Ｆの直径より小径に形成され、その直径の差に相当する段部が係止段部５Ｅを形成する。すなわち、ガイド筒部５Ｄの上端５Ｈにホルダー部材摺動孔５Ｆが開口し、下端５Ｊにはエンド挿入孔５Ｇが開口する。
【００１１】
６は、連結部材でその下方にエンド７を備え、上方にホルダー部材８を備える。エンド７は円筒状をなし、ガイド筒部５Ｄのエンド挿入孔５Ｇ内を通過できるようエンド挿入孔５Ｇの直径より小径をなす。又、ホルダー部材８は、ホルダー部材摺動孔５Ｆ内を摺動自在に移動できる直径であって、円筒状をなし、その内方には、アクセルワイヤーＷの端部に配置されたワイヤーエンド１４を挿入して係止しうるワイヤーエンド孔８Ａとワイヤーエンド係止段部８Ｂとが形成される。
【００１２】
９は、絞り弁４の内底部４Ａに螺着されたエンド係止部材であり、このエンド係止部材９は、鍔部９Ａ、鍔部９Ａより下方にのびるネジ部９Ｂ、鍔部９Ａより上方にのびる係止筒部９Ｃとにより形成され、その内方には、連結部材６のエンド７を挿入して係止しうるエンド孔９Ｄと、エンド係止段部９Ｅとが形成される。
【００１３】
次に本発明になる摺動絞り弁型気化器の組みつけについて述べる。図２によって説明すると、第１にホルダー部材８のワイヤーエンド孔８Ａ内にアクセルワイヤーＷのワイヤーエンド１４を挿入配置し、ワイヤーエンド孔８Ａ内にあるワイヤーエンド１４をワイヤーエンド係止段部８Ｂに係止して配置する。
【００１４】
第２に、連結部材６をホルダー部材摺動孔５Ｆの上端５Ｈ開口より下方に向けて挿通するもので、エンド７はホルダー部材摺動孔５Ｆ、係止段部５Ｅを介してエンド挿入孔５Ｇより下方に配置され、一方、ワイヤーエンド１４を備えたホルダー部材８はホルダー部材摺動孔５Ｆ内に配置され、その下端８Ｃが係止段部５Ｅに当接する。
【００１５】
第３に、連結部材６のエンド７を絞り弁４に取着するもので、エンド７をエンド係止部材９のエンド孔９Ｄ内に配置するとともにエンド７をエンド係止段部９Ｅに係止して配置する。尚、かかる第３の組みつけ時において、トップカバー５の底部５Ｂと、絞り弁４の内底部４Ａとの間にはスプリングＳが縮設される。
【００１６】
以上によって、アクセルワイヤーＷと絞り弁４とは連結部材６を介して連結されたもので、絞り弁４はエンド係止部材９を介して連結部材６のエンド７に連結され、アクセルワイヤーＷのワイヤーエンド１４は、連結部材６のホルダー部材８に連結された。
【００１７】
そして、前記状態にある絞り弁４が絞り弁案内筒３内に配置され、トップカバー５のメネジ５Ｃが絞り弁案内筒３の上部外周に形成されたオネジ３Ｂに螺着される。この状態が図１に示されるもので、かかる状態において、連結部材６のホルダー部材８の下端８Ｃがトップカバー５の係止段部５Ｅに当接し、これによって絞り弁４の最低開度が決定される。
【００１８】
絞り弁４の最低開度であるアイドリング開度は、気化器が組みつけられる機関ごとに調整されるもので、このアイドリング開度の調整は、トップカバー５を螺動することによって行なわれる。すなわち、ネジを右ネジで形成した場合、トップカバー５を時計方向へ回転することによって、トップカバー５と一体的に形成された係止段部５Ｅは下方へ移動して、絞り弁４の開度が閉なる方向に制御できる。一方、トップカバー５を反時計方向へ回転することによって、係止段部５Ｅは上方へ移動して絞り弁４の開度が開く方向に制御できる。従って、トップカバー５を回転することによって所望のアイドリング開度を得ることができる。
【００１９】
そして、本発明になる摺動絞り弁型気化器のアイドリング調整装置によると、絞り弁４の開度を調整する調整部を、トップカバー５に設けた係止段部５Ｅと連結部材６のホルダー部材８の下端８Ｃとによって行なったので、絞り弁４に対して傾斜した力が加えられることがなく、絞り弁３を常に正立状態に保持できる。従って、絞り弁４は、絞り弁案内筒３に均一に当接して摺動するもので、その接触部における面圧の上昇が抑止できたもので、これによると、絞り弁４の材料選択の自由度を高めることができ、更には高価な被膜処理を必要とするものでなく、気化器の製造コストを低減する上で効果的である。
【００２０】
又、絞り弁３が正立状態において、開閉動作されることによると、絞り弁３は、常に設定されたアイドリング位置に復帰するもので、バイパス孔との相対位置を常に正確に保持することができて、特に低速燃料の再現性を向上できたものである。
【００２１】
又、図１に示される如く、連結部材６のエンド７及びホルダー部材８、更にはアクセルワイヤーＷのワイヤーエンド１４を、絞り弁４の中心を通る長手軸心線Ｘ−Ｘ上に配置したことによると、絞り弁４の中心に対して操作力を付与できるとともに絞り弁４の長手方向に沿って操作力を付与できるもので、これによって絞り弁４は一側に傾斜されることなく更に良好な正立状態を保持できるもので、絞り弁４の摺動耐久性と低速燃料の再現性を更に向上できたものである。
【００２２】
尚、Ｓ１、Ｓ２はトップカバー５が振動によってユルムことのないよう、トップカバー５を一側に押圧するスプリングであり、これによってトップカバー５の設定後において、トップカバー５が回転してアイドリング開度が不必要に変化することを抑止できる。
【００２３】
【発明の効果】
本発明になる摺動絞り弁型気化器のアイドリング調整装置によると、絞り弁案内筒の上部に螺着されたトップカバーのガイド筒部に、ホルダー部材摺動孔と、係止段部を介して下方に開口するエンド挿入孔を設け、一方、連結部材には、その下端にエンドを備え、上端にホルダー部材摺動孔内に摺動自在に配置されるとともにワイヤーエンド孔が穿設されたホルダー部材を備え、連結部材のエンドを絞り弁に係止し、ホルダー部材をホルダー部材摺動孔内に移動自在に配置するとともにアクセルワイヤーのワイヤーエンドをワイヤーエンド孔を介してホルダー部材に係止し、ホルダー部材を係止段部に当接し、トップカバーを螺動することによって絞り弁のアイドリング開度を調整したので、絞り弁のアイドリング開度時において、絞り弁を正立状態に保持でき、絞り弁の摺動耐久性の向上と、低速燃料の再現性を向上できたものである。又、連結部材のエンドとホルダー部材及びアクセルワイヤーのワイヤーエンドを、絞り弁の中心を通る長手軸心線上に配置したことによると、絞り弁の中心で且つ絞り弁の長手方向に沿って操作力を付与できたもので、絞り弁の正立性をより高めることができて、前記効果をより一層向上できるものである。
【図面の簡単な説明】
【図１】本発明になる摺動絞り弁型気化器のアイドリング装置の一実施例を示す縦断面図。
【図２】連結部材に対する絞り弁とワイヤーエンドとの連結状態を示す縦断面図。
【図３】従来の摺動絞り弁型気化器のアイドリング装置を示す縦断面図。
【符号の説明】
３      絞り弁案内筒
４      絞り弁
５      トップカバー
５Ｄ    ガイド筒部
５Ｅ    係止段部
５Ｆ    ホルダー部材摺動孔
５Ｇ    エンド挿入孔
６      連結部材
７      エンド
８      ホルダー部材
８Ａ    ワイヤーエンド孔
１４    ワイヤーエンド
【図１】
0003760358.tif 000002
【図２】
0003760358.tif 000003
【図３】
0003760358.tif 000004